(57)【要約】【課題】一定の高さであれば、目地仕上げを無くすことができる既製コンクリートブロックを提供することを課題とする。【解決手段】図（ａ）に示すように、ＪＩＳで規定されている建築用コンクリートブロック１１０は、横辺の長さがＡ、この横辺より短い縦辺の長さがＢである周知のブロックである。本発明に係る既製コンクリートブロック１０は、（ｂ）に示すように、横辺１１がＡの２倍で、縦辺１２がＢの２倍で、発泡樹脂ブロック１３を内蔵している。（ａ）に示す縦目地１１３、１１３及び横目地１１４、１１４が（ｂ）では存在しないため、既製コンクリートブロック１０を使用すると、目地の施工縦目地及び横目地を廃止若しくは半減させることができ、施工コストを低減させることができる。【選択図】図１
2008025152.tif 000002
【特許請求の範囲】
【請求項１】
ＪＩＳで規定されている建築用コンクリートブロックでの横辺の長さをＡ、この横辺より短い縦辺の長さをＢと呼ぶときに、縦辺の長さがＢの２倍で、横辺の長さがＡの２倍とされ、発泡樹脂ブロックが内蔵されていることを特徴とする既製コンクリートブロック。
【請求項２】
前記発泡樹脂ブロックと干渉しない位置に格子状の補強筋が内蔵されていることを特徴とする請求項１記載の既製コンクリートブロック。
【請求項３】
前記横辺が水平に且つ前記縦辺が鉛直になるように配置したときに、上面と左右の側面に、モルタルを充填するための溝を備えていることを特徴とする請求項１又は請求項２記載の既製コンクリートブロック。
【発明の詳細な説明】
【技術分野】
【０００１】
本発明は、ＪＩＳ  Ａ５４０６で規定されている建築用コンクリートブロックを改良した既製コンクリートブロックに関するものである。この既製コンクリートブロックは、コンクリート工場で製造するプレキャスト品を指す。
【背景技術】
【０００２】
コンクリート製の壁を造る代表的な方法には、次の２つがある。
現場で鉄筋を格子状に組み、この鉄筋を挟んで２枚のパネル（型枠）を立て、これらのパネルの間にコンクリート材料を流し込む方法（型枠コンクリート打設法と呼ぶ。）がある。又は、工場で予め製造した既製コンクリートブロック（ＪＩＳで規定されている建築用コンクリートブロック。プレキャスト品）を準備し、この既製コンクリートブロックを現場で積み上げ、ブロック同士を鉄筋で補強しながらモルタルで接合する方法（ブロック積み上げ法と呼ぶ。）がある。
【０００３】
型枠コンクリート打設法は、形状に自由度があるとともに大きな強度が得られるが、施工期間が長くなり、施工費用が嵩む。この点、ブロック積み上げ法は、プレキャスト品を使うため型枠やコンクリート材料を準備する必要が無く、施工費用が格段に安くなる。そのためブロック積み上げ法は、低い壁や簡易的な壁の施工に採用される。このブロック積み上げ法に関する発明が提案されている（例えば、特許文献１参照。）。
【特許文献１】特開２００５−１３９８７２公報（図３）
【０００４】
図７は従来のブロック積み上げ法を説明する図であり、ＪＩＳで規定されている建築用コンクリートブロック１０１の両面に、この面より図上及び右へずらした形態で予め板１０２、１０２を設けておく。施工現場では、縦筋１０３に空洞部１０４を合わせるようにして、コンクリートブロック１０１を積み上げ、空洞部１０４にモルタルを充填して固定する。
板１０２、１０２が目地を隠すため、目地仕上げを行う必要が無くなり、未熟練工であってもブロックの施工が可能であると説明されている。
【０００５】
しかし、図中に示したｘ方向において、隣り合う板１０２と１０２とに段差ができると、見栄えが悪くなる。隣り合う板１０２と１０２とを面一（つらいち）に仕上げるには、熟練を要する。すなわち、未熟練工では施工が難しい。
加えて、ＪＩＳで規定されている建築用コンクリートブロック１０１は安価であるが、この安価なコンクリートブロック１０１に、ずらした形態で板１０２、１０２を貼るには熟練を要し、製造費用が嵩む。
【０００６】
したがって、板１０２、１０２を用いないで、目地仕上げを無くすことができるコンクリートブロックが求められる。
【発明の開示】
【発明が解決しようとする課題】
【０００７】
本発明は、一定の高さであれば、目地仕上げを無くすことができる既製コンクリートブロックを提供することを課題とする。
【課題を解決するための手段】
【０００８】
請求項１に係る既製コンクリートブロックは、ＪＩＳで規定されている建築用コンクリートブロックでの横辺の長さをＡ、この横辺より短い縦辺の長さをＢと呼ぶときに、縦辺の長さがＢの２倍で、横辺の長さがＡの２倍とされ、発泡樹脂ブロックが内蔵されていることを特徴とする。
【０００９】
請求項２に係る既製コンクリートブロックは、発泡樹脂ブロックと干渉しない位置に格子状の補強筋が内蔵されていることを特徴とする。
【００１０】
請求項３に係る既製コンクリートブロックは、横辺が水平に且つ縦辺が鉛直になるように配置したときに、上面と左右の側面に、モルタルを充填するための溝を備えていることを特徴とする。
【発明の効果】
【００１１】
請求項１に係る既製コンクリートブロックは、縦横がＪＩＳで規定されている建築用コンクリートブロックの２倍であるため、高さが４００ｍｍであれば、横目地は不要となり、また縦目地も廃止若しくは半減させることができ、施工コストを低減させることができる。そして、発泡樹脂ブロックを内蔵することで、空胴を設けないようにした。空胴は中子で形成されるため、製造コストが嵩むが、発泡樹脂ブロックを型内に置くのであれば、製造コストを抑えることができる。
したがって、請求項１によれば、既製コンクリートブロックの製造コストを低減することができると共に、ＪＩＳに規定されるコンクリートブロックよりも施工コストを大幅に低減させることができる。
【００１２】
請求項２に係る発明では、格子状の補強筋が内蔵されているので、コンクリートブロックの強度を高めることができる。
【００１３】
請求項３に係る発明では、上面と左右の側面に溝を備えた。これらの溝にボルト若しくは縦筋又は横筋を通すことができ、壁の剛性を高めることができる。
【発明を実施するための最良の形態】
【００１４】
本発明を実施するための最良の形態を添付図に基づいて以下に説明する。なお、図面は 符号の向きに見るものとする。
図１は本発明に係る既製コンクリートブロックの斜視図であり、理解を促すためにＪＩＳで規定される建築用コンクリートブロックと対比して説明する。
（ａ）に示すように、ＪＩＳで規定されている建築用コンクリートブロック１１０は、横辺の長さがＡ、この横辺より短い縦辺の長さがＢである周知のブロックであり、３個の空洞部１１１を有し、左右の側面に縦溝１１２、１１２を有する。なお、Ａは約４００ｍｍ、Ｂは約２００ｍｍである。
【００１５】
本発明に係る既製コンクリートブロック１０は、（ｂ）に示すように、横辺１１がＡの２倍で、縦辺１２がＢの２倍で、複数（この例では４個）の発泡樹脂ブロック１３を内蔵し、上面に横溝１４を有し、左右の側面に縦溝１５、１５を備えている。
【００１６】
（ａ）、（ｂ）から明らかなように、１個の既製コンクリートブロック１０は、４個の建築用コンクリートブロック１１０と同じ正面面積を有する。
（ａ）に示す縦目地１１３、１１３及び横目地１１４、１１４が（ｂ）では存在しないため、既製コンクリートブロック１０を使用すると、目地の施工縦目地及び横目地を廃止若しくは半減させることができ、施工コストを低減させることができる。
【００１７】
次に、既製コンクリートブロック１０での発泡樹脂ブロック１３を含む箇所の断面構造を説明する。
図２は図１の２−２線断面図であり、既製コンクリートブロック１０は、厚さＣの中央に発泡樹脂ブロック１３を内蔵し、この発泡樹脂ブロック１３の両側に格子状の補強筋１６、１６を内蔵している。厚さＣは７０ｍｍ〜１００ｍｍとする。
【００１８】
既製コンクリートブロック１０の製造法と、図１（ａ）に示した建築用コンクリートブロック１１０の製造法を比較検討する。
建築用コンクリートブロック１１０は、空胴部１１１を中子で形成する。中子は型枠の一部で構成するが、コンクリートが固まった後に引き抜くことができるように、抜き勾配を設け、離型剤を塗る（又は離型紙を巻く）などの配慮が必要となる。
【００１９】
仮に、図２に示す発泡樹脂ブロック１３の部分を空胴部にするには、従来の２倍の長さの中子を必要とする。中子は長さに比例して撓み量が増大する。長い中子を使用すると製品不良が発生しやすくなり、製品歩留まりが悪くなり、製品のコストが嵩む。
この点、既製コンクリートブロック１０では、発泡樹脂ブロック１３と補強筋１６、１６とを型枠に収め、ずれないように仮固定し、コンクリートを流し込むだけで、製造が可能である。この結果、Ａの２倍もの丈の高いブロックを製造することができる。
【００２０】
次に、既製コンクリートブロック１０で、発泡樹脂ブロック１３を含まない箇所の断面構造を説明する。
図３は図１の３−３線断面図であり、好ましくは、一対の補強筋１６、１６に細筋１７を渡して、補強する。本発明の既製コンクリートブロック１０は、図１（ａ）に示すような空洞部１１１を有していない。そのために、既製コンクリートブロック１０に縦筋を貫通させることができない。この対策として、補強筋１６、１６を内蔵した。
また、上面にナット部材１８を埋設した。
【００２１】
次に、本発明の別実施例を説明する。
図４は既製コーナーブロックの斜視図であり、既製コーナーブロック２０は、縦辺の長さがＢの２倍で、発泡樹脂ブロック１３、１３が内蔵され、これらの発泡樹脂ブロック１３、１３と干渉しない位置に格子状の補強筋１６、１６が内蔵され、上面に横溝１４を備え、２つの側面に縦溝１５、１５を備えるＬ形ブロックである。
【００２２】
既製コーナーブロック２０を四隅に配置し、２つの既製コーナーブロック２０、２０の間に、図１（ｂ）に示した既製コンクリートブロック１０を必要個数配置すればよい。４面の壁を容易に施工することができる。
【００２３】
以上に説明した既製コンクリートブロックの現地における施工法を次に説明する。
図５は本発明に係る既製コンクリートブロックの施工説明図であり、（ａ）に示すように、駆体床２１に、所定ピッチ（Ａの２倍相当）で、特殊ナット２２を打ち込む。この特殊ナット２２は、床に開けたドリル穴に上から挿入し、上から打ち込むと下部が開いて抜けなくなる形式のホールインアンカーが適用できる。その他、床に開けたドリル穴に薬液を注入し、そこへナットを挿入し、薬液を化学反応で凝固させて接着作用を発揮させる形式のアンカーも適用できる。特殊ナット２２に９ｍｍ程度の径の両ねじボルト２３を取付ける。
【００２４】
（ｂ）に示すように、既製コンクリートブロック１０を据える。
（ｂ）のｃ矢視図である（ｃ）に示すように、縦溝１５にモルタル２４を充填する。更に、（ｂ）のｄ矢視図である（ｄ）に示すように、横溝１４に横筋２５を渡し、両ねじボルト２３に針金で結束するとよい。
【００２５】
以上に説明した施工法によれば、図１（ａ）で示した縦目地１１３、１１３や横目地１１４、１１４の施工が不要であるため、従来の１／４又はそれ以下の施工時間で高さ４００ｍｍ（Ｂの２倍）の壁を施工することができた。
【００２６】
図６は厨房カウンターの施工例を示す図であり、既製コンクリートブロック１０の上面にライナー２６を置き、このライナー２６に厨房用のカウンター２７を載せ、両ねじボルト２３にナット２８をねじ込むことで厨房用のカウンター２７を固定する。さらに、中間部分はボルト２９をナット部材１８にねじ込むことで固定する。このように、厨房用のカウンター２７を簡単に据えることができる。
【００２７】
厨房では、水回り対策として防水施工を行う必要があるが、図５（ｂ）において、駆体床２１に防水シートを張り、モルタルで仕上げ、既製コンクリートブロック１０の図手前の面に防水シートを張り、モルタルで仕上げる。この防水施工も迅速に実施することができる。
【００２８】
以上に説明したカウンターを浴室パネルに替えることで浴室の施工が実施でき、カウンターをキッチンユニットに替えることで台所の施工が実施できる。水回りの壁の高さは４００ｍｍが好ましいので、高さが４００ｍｍである本発明の既製コンクリートブロック１０は厨房、浴室、台所などの水回りに好適であると言える。
【００２９】
尚、横溝は既製コンクリートブロックの上面に設けるほか、上下面の両方へ設けても良い。又は、縦溝は必須であるが、横溝は省くことができる。
【００３０】
また、以上に説明したように、図１（ｂ）に示す左右の縦溝１５、１５に縦筋（アンカーボルトや両ねじボルトを含む。）を通すことを原則とする。しかし、現場のレイアウトや施工の都合から縦筋の位置を変更したいという要請は起こりうる。
【００３１】
そのときには、発泡樹脂ブロック１３へ溶剤（発泡樹脂を溶かす薬液）を滴下する。すると、発泡樹脂ブロック１３が溶けて流失し、空胴が出現する。出現した空胴に鉄筋を通すことができる。なお、全ての発泡樹脂ブロック１３、１３、１３を溶解処理することは差し支えないが、発泡樹脂ブロック１３は強度向上にも寄与するため、１つの発泡樹脂ブロック１３を溶解処理し、他の発泡樹脂ブロック１３、１３は残すことが望ましい。
【００３２】
すなわち、本発明の既製コンクリートブロック１０は、必要に応じて空胴ブロックにすることができる。この場合は、発泡樹脂ブロック１３は空胴ブロックを造るための中子の役割を果たしたとも言える。すなわち、従来の製造法では４００ｍｍもの高さの空洞部を造ることが難しかったが、本発明の発泡樹脂ブロック１３を採用することにより、４００ｍｍもの高さの空洞部を容易に造ることができる。
【産業上の利用可能性】
【００３３】
本発明の既製コンクリートブロックは、厨房の壁に好適である。
【図面の簡単な説明】
【００３４】
【図１】本発明に係る既製コンクリートブロックの斜視図である。
【図２】図１の２−２線断面図である。
【図３】図１の３−３線断面図である。
【図４】既製コーナーブロックの斜視図である。
【図５】本発明に係る既製コンクリートブロックの施工説明図である。
【図６】厨房カウンターの施工例を示す図である。
【図７】従来のブロック積み上げ法を説明する図である。
【符号の説明】
【００３５】
１０…既製コンクリートブロック、１１…横辺、１２…縦辺、１３…発泡樹脂ブロック、１４…横溝、１５…縦溝、１６…補強筋、１１０…ＪＩＳで規定されている建築用コンクリートブロック。
【図１】
2008025152.tif 000003
【図２】
2008025152.tif 000004
【図３】
2008025152.tif 000005
【図４】
2008025152.tif 000006
【図５】
2008025152.tif 000007
【図６】
2008025152.tif 000008
【図７】
2008025152.tif 000009